(57)【要約】【課題】所望の産業用機械の各種データを所望のデータ収集装置に収集するための設定を直感的に簡易に行う産業用機械のデータ収集設定装置を提供する。【解決手段】産業用機械のデータ収集設定装置は、現実に仮想を重ねた拡張現実を表示する表示部と、表示部に表示される現実の産業用機械を特定する産業用機械特定部と、産業用機械特定部によって特定された産業用機械におけるデータ収集可能なデータに関する仮想オブジェクトを表示部に表示させるデータ表示制御部と、データ収集装置を示すオブジェクトを表示部に表示させるデータ収集装置表示制御部と、表示部に表示されたデータに関する仮想オブジェクト及びデータ収集装置を示すオブジェクトに対する操作者の操作を判断して、データ及びデータ収集装置を特定する操作判断部と、特定された産業用機械のデータを、特定されたデータ収集装置に収集する設定を作成するデータ収集設定作成部と、を備える。【選択図】図１
2020197835.tif 000002
【特許請求の範囲】
【請求項１】
産業用機械のデータをデータ収集装置に収集するための設定を行うデータ収集設定装置であって、
現実に仮想を重ねた拡張現実を表示する表示部と、
前記表示部に表示される現実の前記産業用機械を特定する産業用機械特定部と、
前記産業用機械特定部によって特定された産業用機械におけるデータ収集可能な前記データに関する仮想オブジェクトを前記表示部に表示させるデータ表示制御部と、
前記データ収集装置を示すオブジェクトを前記表示部に表示させるデータ収集装置表示制御部と、
前記表示部に表示された前記データに関する仮想オブジェクト及び前記データ収集装置を示すオブジェクトに対する操作者の操作を判断して、前記データ及び前記データ収集装置を特定する操作判断部と、
特定された前記産業用機械の前記データを、特定された前記データ収集装置に収集する設定を作成するデータ収集設定作成部と、
を備える、産業用機械のデータ収集設定装置。
【請求項２】
前記産業用機械特定部は、前記産業用機械の特徴点、識別情報及び位置情報のうち少なくとも１つに基づいて、前記産業用機械を特定する、請求項１に記載の産業用機械のデータ収集設定装置。
【請求項３】
前記データ表示制御部は、前記データに関する仮想オブジェクトを前記表示部に強調表示させる、請求項１又は２に記載の産業用機械のデータ収集設定装置。
【請求項４】
前記データ表示制御部は、前記産業用機械におけるデータ収集可能な前記データに対応する部品の位置に、前記データに関する仮想オブジェクトを表示させる、請求項１〜３のいずれか１項に記載の産業用機械のデータ収集設定装置。
【請求項５】
前記データ収集装置表示制御部は、前記操作判断部によって特定された前記データ収集装置を示すオブジェクトを前記表示部に強調表示させる、請求項１〜４のいずれか１項に記載の産業用機械のデータ収集設定装置。
【請求項６】
前記操作判断部は、前記表示部に表示された前記データに関する仮想オブジェクトを、前記データ収集装置を示すオブジェクトにドラックする操作者の操作に応じて、前記データ及び前記データ収集装置を特定する、請求項１〜５のいずれか１項に記載の産業用機械のデータ収集設定装置。
【請求項７】
前記データ収集設定作成部によって作成されるデータ収集の前記設定は、前記産業用機械及び前記データ収集装置のネットワーク識別情報を含む、請求項１〜６のいずれか１項に記載の産業用機械のデータ収集設定装置。
【請求項８】
前記データ収集設定作成部によって作成されたデータ収集の前記設定を、特定された前記データ収集装置に転送するデータ収集設定転送部を更に備える、請求項１〜７のいずれか１項に記載の産業用機械のデータ収集設定装置。
【請求項９】
前記産業用機械におけるデータ収集可能な前記データに関する属性の選択肢を前記表示部に表示させるデータ属性表示制御部を更に備え、
前記操作判断部は、前記表示部に表示された前記データに関する属性の選択肢に対する操作者の操作を判断して、前記データに関する属性を特定し、
データ収集設定作成部は、特定された前記産業用機械の前記データを、特定された前記データに関する属性で、特定された前記データ収集装置に収集する設定を作成する、
請求項１〜８のいずれか１項に記載の産業用機械のデータ収集設定装置。
【発明の詳細な説明】
【技術分野】
【０００１】
本発明は、産業用機械のデータ収集設定装置に関する。
【背景技術】
【０００２】
複数の産業用機械の各種データをデータ収集装置に集中的に収集するデータ収集システムが知られている（例えば、特許文献１参照）。
【先行技術文献】
【特許文献】
【０００３】
【特許文献１】特開２０１８−１７３８５８号公報
【発明の概要】
【発明が解決しようとする課題】
【０００４】
このようなデータ収集システムでは、操作者は、どの産業用機械のどのデータをどのデータ収集装置に収集するかの設定を、例えばＷＥＢ画面又は外部設定装置から入力していた。そのため、これらの設定を現実に照らし合わせつつ直感的で確実な設定が出来ないといった課題や、操作が煩雑であるという問題があった。
【０００５】
このように、産業用機械のデータ収集の分野において、所望の産業用機械の各種データを所望のデータ収集装置に収集するための設定を直感的に簡易に行うことが望まれている。
【課題を解決するための手段】
【０００６】
本開示の産業用機械のデータ収集設定装置は、産業用機械のデータをデータ収集装置に収集するための設定を行うデータ収集設定装置であって、現実に仮想を重ねた拡張現実を表示する表示部と、前記表示部に表示される現実の前記産業用機械を特定する産業用機械特定部と、前記産業用機械特定部によって特定された産業用機械におけるデータ収集可能な前記データに関する仮想オブジェクトを前記表示部に表示させるデータ表示制御部と、前記データ収集装置を示すオブジェクトを前記表示部に表示させるデータ収集装置表示制御部と、前記表示部に表示された前記データに関する仮想オブジェクト及び前記データ収集装置を示すオブジェクトに対する操作者の操作を判断して、前記データ及び前記データ収集装置を特定する操作判断部と、特定された前記産業用機械の前記データを、特定された前記データ収集装置に収集する設定を作成するデータ収集設定作成部と、を備える。
【発明の効果】
【０００７】
本開示によれば、産業用機械のデータ収集の分野において、所望の産業用機械の各種データを所望のデータ収集装置に収集するための設定を直感的に簡易に行うことができる。
【図面の簡単な説明】
【０００８】
【図１】本実施形態に係る工作機械のデータ収集設定装置を含むデータ収集システムの構成を示す図である。
【図２】本実施形態に係る工作機械のデータ収集設定装置（例えばスマートフォン）による拡張現実（ＡＲ）表示の一例を示す図である。
【図３】本実施形態に係る工作機械のデータ収集設定装置（例えばスマートフォン）による拡張現実（ＡＲ）表示の一例を示す図である。
【図４】本実施形態に係る工作機械のデータ収集設定装置によるデータ収集設定動作のフローチャートを示す図である。
【図５】本実施形態の変形例に係る工作機械のデータ収集設定装置（例えばＡＲグラス）による拡張現実（ＡＲ）表示の一例を示す図である。
【発明を実施するための形態】
【０００９】
以下、添付の図面を参照して本発明の実施形態の一例について説明する。なお、各図面において同一又は相当の部分に対しては同一の符号を附すこととする。
【００１０】
図１は、本実施形態に係る工作機械のデータ収集設定装置を含むデータ収集システムの構成を示す図であり、図２は、本実施形態に係る工作機械のデータ収集設定装置による表示の一例を示す図である。図１に示すデータ収集システム１では、複数の工作機械１０（図１では１つのみ示す。）と、複数のデータ収集装置２０（図１では１つのみ示す。）と、データ収集設定装置１００とが、ＬＡＮ、ＷＡＮ等の有線又は無線のネットワーク、又はＢｌｕｅｔｏｏｔｈ、Ｗｉ−Ｆｉ等の近距離通信によって接続される。
【００１１】
工作機械１０は、例えば数値制御により所定の加工を行う機器である。工作機械１０は、個体識別情報保持部１１と自己機器情報保持部１２とを備える。
【００１２】
個体識別情報保持部１１は、ＲＦＩＤ、ビーコン、シリアル番号、又はＱＲコード等の工作機械固有の識別子を個体識別情報として保持する。或いは、個体識別情報保持部１１は、工作機械の位置情報を個体識別情報として保持する。
【００１３】
自己機器情報保持部１２は、ネットワークにおける自己機器情報、例えばＩＰアドレスを保持する。また、自己機器情報保持部１２は、自身のデータ収集可能なデータ情報を保持する。
【００１４】
データ収集装置２０は、例えばホストコンピュータである。データ収集装置２０は、後述するデータ収集設定装置１００から供給されるデータ収集設定に基づいて、工作機械１０のデータを収集する。データ収集装置２０は、個体識別情報保持部２１と、自己機器情報保持部２２と、データ収集設定保持部２３とを備える。
【００１５】
個体識別情報保持部２１は、ＲＦＩＤ、ビーコン、シリアル番号、又はＱＲコード等のデータ収集装置固有の識別子を個体識別情報として保持する。或いは、個体識別情報保持部２１は、データ収集装置の位置情報を個体識別情報として保持する。
【００１６】
自己機器情報保持部２２は、ネットワークにおける自己機器情報、例えばＩＰアドレスを保持する。
【００１７】
データ収集設定保持部２３は、後述するデータ収集設定装置１００から供給されるデータ収集設定を保持する。
【００１８】
データ収集設定装置１００は、工作機械１０のデータをデータ収集装置２０に収集するための設定を行う。データ収集設定装置１００は、例えばスマートフォン、タブレット、ＰＣ等の情報処理装置である。データ収集設定装置１００は、情報保持部１１０と、表示操作部１２０と、工作機械特定部１３１と、データ表示制御部１３２と、データ属性表示制御部１３３と、データ収集装置表示制御部１３４と、操作判断部１３５と、データ収集設定作成部１３６と、データ収集設定転送部１３７とを備える。
【００１９】
データ収集設定装置１００（情報保持部１１０及び表示操作部１２０を除く）は、例えば、ＤＳＰ（Digital Signal Processor）、ＦＰＧＡ（Field‐Programmable Gate Array）等の演算プロセッサで構成される。データ収集設定装置１００（情報保持部１１０及び表示操作部１２０を除く）の各種機能は、例えば記憶部に格納された所定のソフトウェア（プログラム、アプリケーション）を実行することで実現される。データ収集設定装置１００（情報保持部１１０及び表示操作部１２０を除く）の各種機能は、ハードウェアとソフトウェアとの協働で実現されてもよいし、ハードウェア（電子回路）のみで実現されてもよい。
【００２０】
情報保持部１１０は、例えばＥＥＰＲＯＭ等の書き換え可能なメモリ、又は例えばＨＤＤ（Hard Disk Drive）又はＳＳＤ（Solid State Drive）等の書き換え可能なディスクである。情報保持部１１０は、工作機械特徴点保持部１１１と、収集可能データ保持部１１２と、部品位置保持部１１３と、データ−部品間関連情報保持部１１４と、装置情報保持部１１５とを含む。
【００２１】
工作機械特徴点保持部１１１は、工作機械特定のための工作機械の特徴点を保持する。工作機械の特徴点としては、例えば大きさ、形状、色、メーカ表示、型番表示が挙げられる。工作機械特徴点保持部１１１は、工作機械の特徴点を、工作機械のデータと関連付けて保持する。
【００２２】
収集可能データ保持部１１２は、データ収集可能なデータを、工作機械ごとに保持する。データ収集可能なデータとしては、例えば温度センサの温度、振動センサのデータ、主軸回転数、制御軸回転数、工具の寿命、数値制御データ、プログラマブルロジックコントローラの回路情報が挙げられる。
【００２３】
部品位置保持部１１３は、データ収集可能なデータに対応する部品の位置を、工作機械ごとに保持する。データ収集可能なデータに対応する部品としては、例えば温度センサ、振動センサ、各種モータ、工具、クーラントの格納部、IO機器が挙げられる。
【００２４】
データ−部品間関連情報保持部１１４は、収集可能データ保持部１１２によって保持されたデータと、部品位置保持部１１３によって保持されたデータ収集可能なデータに対応する部品の位置とが関連付けされたデータ−部品間関連情報を、工作機械ごとに保持する。
【００２５】
装置情報保持部１１５は、ネットワークを介して接続された工作機械１０の個体識別情報、例えばＲＦＩＤ、ビーコン、シリアル番号、又はＱＲコード等の工作機械固有の識別子、或いは工作機械１０の位置情報を保持する。また、装置情報保持部１１５は、これらの工作機械１０のネットワークにおける自己機器情報、例えばＩＰアドレスを保持する。
【００２６】
また、装置情報保持部１１５は、ネットワークを介して接続されたデータ収集装置２０の個体識別情報、例えばＲＦＩＤ、ビーコン、シリアル番号、又はＱＲコード等のデータ収集装置固有の識別子、或いはデータ収集装置２０の位置情報を保持する。また、装置情報保持部１１５は、これらのデータ収集装置２０のネットワークにおける自己機器情報、例えばＩＰアドレスを保持する。
【００２７】
表示操作部１２０は、液晶ディスプレイ等の表示機器を含み、ＡＲ表示領域１２１とデータ収集装置表示領域１２２とを有する。ＡＲ表示領域１２１は、現実に仮想を重ねた拡張現実（Augmented Reality：ＡＲ）を表示する領域であり、カメラ等の撮像機器により映された現実の工作機械に仮想オブジェクトを重ねて表示する。データ収集装置表示領域１２２は、データ収集装置を示すオブジェクトを表示する。
【００２８】
また、表示操作部１２０は、タッチパネル等の操作機器を含み、操作者による操作を検出する。
【００２９】
工作機械特定部１３１は、表示操作部１２０のＡＲ表示領域１２１に表示された現実の工作機械を特定する。例えば、工作機械特定部１３１は、ＡＲ表示領域１２１に表示された工作機械の特徴点、例えば大きさ、形状、色、メーカ表示、型番表示を抽出し、工作機械特徴点保持部１１１に保持された工作機械の特徴点に基づいて、ＡＲ表示領域１２１に表示された工作機械の種類を特定する。
【００３０】
また、工作機械特定部１３１は、ＡＲ表示領域１２１に表示された現実の工作機械の個体識別情報（例えば、ＲＦＩＤ、ビーコン、シリアル番号、又はＱＲコード）を取得し、装置情報保持部１１５に保持された工作機械の個体識別情報に基づいて、ＡＲ表示領域１２１に表示された工作機械を特定する。
【００３１】
或いは、工作機械特定部１３１は、ＡＲ表示領域１２１に表示された現実の工作機械のＲＦＩＤ又はビーコンにおける電波強度測位等による位置情報を取得し、装置情報保持部１１５に保持された工作機械の位置情報に基づいて、ＡＲ表示領域１２１に表示された工作機械を特定してもよい。
【００３２】
或いは、工作機械特定部１３１は、上述した測位による位置情報と、上述した個体識別情報又は自己機器情報（例えば、ＩＰアドレス）との組み合わせに基づいて、工作機械を特定してもよい。
【００３３】
データ表示制御部１３２は、収集可能データ保持部１１２に保持されたデータ収集可能なデータ、部品位置保持部１１３に保持されたデータ収集可能なデータに対応する部品の位置、及びデータ―部品間関連情報保持部１１４に保持されたデータ―部品間関連情報に基づいて、工作機械特定部１３１によって特定された工作機械におけるデータ収集可能なデータに関する仮想オブジェクトを、ＡＲ表示領域１２１に表示又は強調表示させる（図２参照）。また、データ表示制御部１３２は、データ収集可能なデータに対応する部品に関する仮想オブジェクトを、ＡＲ表示領域１２１に表示又は強調表示させてもよい。
【００３４】
データ属性表示制御部１３３は、データ収集可能なデータに付随する属性（例えば、単位、取得間隔、取得個数）がある場合、データ属性の選択肢（例えばカウンタのような表示）をＡＲ表示領域１２１に表示させる（図３参照）。
【００３５】
データ収集装置表示制御部１３４は、データ収集装置を示すオブジェクトを、データ収集装置表示領域１２２に表示させる（図２参照）。また、データ収集装置表示制御部１３４は、後述する操作判断部１３５によって特定されたデータ収集装置を強調表示してもよい。
【００３６】
操作判断部１３５は、ＡＲ表示領域１２１に表示されたデータに関する仮想オブジェクト、及びデータ収集装置表示領域１２２に表示されたデータ収集装置を示すオブジェクトに対する操作者の操作を判断して、データ収集する工作機械のデータ、及びデータ収集装置を特定する。例えば、操作判断部１３５は、ＡＲ表示領域１２１に表示された所望のデータに関する仮想オブジェクトを、データ収集装置表示領域１２２に表示された所望のデータ収集装置を示すオブジェクトにドラックする操作に応じて、データ収集する工作機械のデータ、及びデータ収集装置を特定する（図２参照）。
【００３７】
また、操作判断部１３５は、ＡＲ表示領域１２１に表示されたデータ属性の選択肢に対する操作者の操作を判断して、データ属性を特定する。例えば、操作判断部１３５は、ＡＲ表示領域１２１に表示されたデータ属性の選択肢をタップする操作、或いはデータ属性の選択肢をデータ収集装置のオブジェクトにドラックする操作に応じて、データ属性を特定する（図３参照）。
【００３８】
データ収集設定作成部１３６は、操作判断部１３５によって特定された工作機械のデータを、特定されたデータ属性で、特定されたデータ収集装置に収集する設定ファイルを作成する。この設定ファイルは、装置情報保持部１１５に保持された工作機械及びデータ収集装置のネットワーク識別情報（例えばＩＰアドレス）を含む。
【００３９】
データ収集設定転送部１３７は、装置情報保持部１１５に保持されたデータ収集装置のネットワーク識別情報（例えばＩＰアドレス）に基づいて、特定されたデータ収集装置に、作成された設定ファイルを転送する。
【００４０】
次に、図４を用いて、本実施形態に係る工作機械のデータ収集設定装置によるデータ収集設定動作について説明する。図４は、本実施形態に係る工作機械のデータ収集設定装置によるデータ収集設定動作のフローチャートである。
【００４１】
まず、操作者が、カメラ等の撮像機器により表示操作部１２０のＡＲ表示領域１２１に所望の工作機械を映す（図２参照）。
【００４２】
すると、工作機械特定部１３１は、ＡＲ表示領域１２１に表示された工作機械の特徴点、例えば大きさ、形状、色、メーカ表示、型番表示を抽出し、工作機械特徴点保持部１１１に保持された工作機械の特徴点に基づいて、ＡＲ表示領域１２１に表示された現実の工作機械の種類を特定する（Ｓ１）。
【００４３】
また、工作機械特定部１３１は、ＡＲ表示領域１２１に表示された現実の工作機械の個体識別情報（例えば、ＲＦＩＤ、ビーコン、シリアル番号、又はＱＲコード）を取得し、装置情報保持部１１５に保持された工作機械の個体識別情報に基づいて、ＡＲ表示領域１２１に表示された現実の工作機械を特定する（Ｓ１）。
【００４４】
或いは、工作機械特定部１３１は、ＡＲ表示領域１２１に表示された現実の工作機械のＲＦＩＤ又はビーコンにおける電波強度測位等による位置情報を取得し、装置情報保持部１１５に保持された工作機械の位置情報に基づいて、ＡＲ表示領域１２１に表示された現実の工作機械を特定してもよい。
【００４５】
次に、データ表示制御部１３２は、収集可能データ保持部１１２に保持されたデータ収集可能なデータ、部品位置保持部１１３に保持されたデータ収集可能なデータに対応する部品の位置、及びデータ―部品間関連情報保持部１１４に保持されたデータ―部品間関連情報に基づいて、工作機械特定部１３１によって特定された工作機械におけるデータ収集可能なデータに関する仮想オブジェクト、又はデータ収集可能なデータに対応する部品に関する仮想オブジェクトを、ＡＲ表示領域１２１に表示させる（図２参照）（Ｓ２）。
【００４６】
このとき、データ収集装置表示制御部１３４は、装置情報保持部１１５に保持されたデータ収集装置の情報に基づいて、ネットワークに接続されている全てのデータ収集装置を示すオブジェクトを、表示操作部１２０のデータ収集装置表示領域１２２に表示させる（Ｓ３）。
【００４７】
図２の例では、工作機械における温度センサ（部品）の温度（データ）が収集可能である場合、現実の工作機械において、温度センサの位置近傍が例えば赤色で強調表示されると共に、温度センサ及び温度の仮想オブジェクトが表示されている。例えば、仮想オブジェクトは、温度センサが現実の位置にあるかのような位置及び深度で表示される。これによれば、データ収集可能なデータを操作者によって直感的に認識しやすくすることができる。
【００４８】
また、図２の例では、工作機械における主軸回転数（データ）が収集可能である場合、現実の工作機械において、工具（部品）の位置近傍に工具ホルダの仮想オブジェクトが表示されると共に、使用中の工具が例えば赤色で強調表示されている。例えば、仮想オブジェクトは、工具又は工具ホルダが現実の位置にあるかのような位置及び深度で表示される。これによれば、データ収集可能なデータを操作者によって直感的に認識しやすくすることができる。
【００４９】
次に、操作判断部１３５は、ＡＲ表示領域１２１に表示されたデータに関する仮想オブジェクト、及びデータ収集装置表示領域１２２に表示されたデータ収集装置を示すオブジェクトに対する操作者の操作を判断する（Ｓ４）。操作者の操作がない場合、ステップＳ４に戻る。
【００５０】
一方、例えば、操作者が、ＡＲ表示領域１２１に表示された所望のデータに関する仮想オブジェクトを、データ収集装置表示領域１２２に表示された所望のデータ収集装置を示すオブジェクトにドラックする操作を行う。すると、操作判断部１３５は、データ収集する工作機械のデータ、及びデータ収集装置を特定する（Ｓ５）。
【００５１】
このとき、データ収集装置表示制御部１３４は、特定されたデータ収集装置を強調表示（例えば、赤い膜のようなものを表示）してもよい。これによれば、特定されたデータ収集装置を操作者によって直感的に認識しやすくすることができる。
【００５２】
次に、データ属性表示制御部１３３は、特定されたデータにデータ属性（例えば、単位、取得間隔、取得個数）があるか否かを判断する（Ｓ６）。データ属性がある場合、データ属性表示制御部１３３は、データ属性の選択肢（例えばカウンタのような表示：操作インターフェース）をＡＲ表示領域１２１に表示させる（図３参照）（Ｓ７）。一方、データ属性がない場合、ステップＳ１０に進む。
【００５３】
次に、操作判断部１３５は、ＡＲ表示領域１２１に表示されたデータ属性の選択肢に対する操作者の操作を判断する（Ｓ８）。操作者の操作がない場合、ステップＳ８に戻る。
【００５４】
一方、例えば、操作者が、ＡＲ表示領域１２１に表示された所望のデータ属性の選択肢をタップする操作、或いはデータ属性の選択肢をデータ収集装置のオブジェクトにドラックする操作を行う。すると、操作判断部１３５は、データ属性を特定する（図３参照）（Ｓ９）。
【００５５】
次に、データ収集設定作成部１３６は、操作判断部１３５によって特定された工作機械のデータを、特定されたデータ属性で、特定されたデータ収集装置に収集するための設定ファイルを作成する（Ｓ１０）。この設定ファイルは、装置情報保持部１１５に保持された工作機械及びデータ収集装置のネットワーク識別情報（例えばＩＰアドレス）を含む。
【００５６】
次に、データ収集設定転送部１３７は、装置情報保持部１１５に保持されたデータ収集装置のネットワーク識別情報（例えばＩＰアドレス）に基づいて、特定されたデータ収集装置に、作成された設定ファイルを転送する（Ｓ１１）。
【００５７】
以上説明したように、本実施形態の工作機械のデータ収集設定装置１００によれば、
・ＡＲ表示領域１２１に表示される現実の工作機械を特定し、
・特定された工作機械におけるデータ収集可能なデータに関する仮想オブジェクト、及びデータ収集装置を示すオブジェクトを、ＡＲ表示領域１２１に表示し、
・表示されたデータに関する仮想オブジェクト及びデータ収集装置を示すオブジェクトに対する操作者の操作を判断して、データ及びデータ収集装置を特定し、
・特定された工作機械のデータを、特定されたデータ収集装置に収集する設定を作成する。
これにより、例えば、操作者は、
・カメラ等の撮像機器によりＡＲ表示領域１２１に所望の工作機械を映し、
・ＡＲ表示領域１２１に表示された所望の工作機械における所望のデータに関する仮想オブジェクトを、所望のデータ収集装置を示すオブジェクトにドラックするような直感的かつ簡易な操作（ジェスチャー操作）を行うだけで、所望の工作機械のデータを所望のデータ収集装置に収集するための設定を作成することができる。
【００５８】
また、本実施形態の工作機械のデータ収集設定装置１００によれば、操作者は、データ収集の目的を考慮して、収集データとデータ収集装置を選択的に設定できる。例えば、寿命に関するデータの収集の目的であれば、工具の使用回転数及び環境温度等の使用環境に関するデータを同一のデータ収集装置に収集することが好ましい。
なお、工具（回転数、寿命）のように、データ収集可能な複数のデータを有する場合、工具が選択されたときに更に複数のデータを選択するための仮想オブジェクトを操作者に提供してもよい。
【００５９】
また、本実施形態の工作機械のデータ収集設定装置１００によれば、操作者は、データ収集装置の空き容量を考慮して、収集データとデータ収集装置を選択的に設定できる。
【００６０】
（変形例）
上述した実施形態では、スマートフォン、タブレット、ＰＣ等のデータ収集設定装置を例示したが、本実施形態はこれに限定されず、図５に示すように、データ収集設定装置はＡＲグラスであってもよい。
【００６１】
図５の例では、工作機械における数値制御に関する制御データが収集可能である場合、現実の工作機械の表示部に表示される制御データに対して、制御データの情報（主軸回転数、加工部品数、ＰＭＣアドレス、通電時間等）の仮想オブジェクトが表示されている。このとき、上述同様に、操作者が、所望の制御データに関する仮想オブジェクトを、所望のデータ収集装置を示すオブジェクトにドラックする操作（ジェスチャー操作）を行うと、操作判断部１３５は、データ収集する工作機械の制御データ、及びデータ収集装置を特定し、データ収集設定作成部１３６は、特定された工作機械のデータを、特定されたデータ収集装置に収集するための設定を作成する。
【００６２】
以上、本発明の実施形態について説明したが、本発明は上述した実施形態に限定されることなく、種々の変更及び変形が可能である。例えば、上述した実施形態では、工作機械のデータをデータ収集装置に収集するための設定を行うデータ収集設定装置を例示したが、本実施形態はこれに限定されない。本実施形態のデータ収集設定装置は、種々の産業用機械のデータをデータ収集装置に収集するための設定を行う種々の装置に適用可能である。
【符号の説明】
【００６３】
１  データ収集システム
１０  工作機械
１１  個体識別情報保持部
１２  自己機器情報保持部
２０  データ収集装置
２１  個体識別情報保持部
２２  自己機器情報保持部
２３  データ収集設定保持部
１００  データ収集設定装置
１１０  情報保持部
１１１  工作機械特徴点保持部
１１２  収集可能データ保持部
１１３  部品位置保持部
１１４  データ−部品間関連情報保持部
１１５  装置情報保持部
１２０  表示操作部
１２１  ＡＲ表示領域
１２２  データ収集装置表示領域
１３１  工作機械特定部
１３２  データ表示制御部
１３３  データ属性表示制御部
１３４  データ収集装置表示制御部
１３５  操作判断部
１３６  データ収集設定作成部
１３７  データ収集設定転送部
【図１】
2020197835.tif 000003
【図２】
2020197835.tif 000004
【図３】
2020197835.tif 000005
【図４】
2020197835.tif 000006
【図５】
2020197835.tif 000007